(57)【要約】【課題】  製造容易でかつ防水効果の高い孔部防水部材、ドレンパンの防水構造を提供する。【解決手段】  空調設備において、下側の機械室と上側の熱交換室とを仕切ると共に、機械室と熱交換室とを連通する連通管Ｃ４を挿通可能な孔部１１を有し、当該孔部１１の周縁部に、熱交換室の側に立設した筒状の立上部１２を形成してあるドレンパン１の孔部防水部材２を、立上部１２に嵌着させるべく、筒状壁部２１と、上フランジ部２２と、下フランジ部２３とを備えた凹部２４を弾性部材によって形成し、このうち上フランジ部２２は、立上部１２の全周を上方から覆うと共に、当該上フランジ部２２の先端部がドレンパン１の上面に接当するよう垂下状に形成し、下フランジ部２３は、凹部２４の内部に立上部１２を保持するようドレンパン１の下面に接当する形状としてある。【選択図】        図２
2005274079.tif 000002
【特許請求の範囲】
【請求項１】
空調設備において、下側の機械室と上側の熱交換室とを仕切ると共に、前記機械室と前記熱交換室とを連通する連通管を挿通可能な孔部を有し、当該孔部の周縁部に、前記熱交換室の側に立設した筒状の立上部を形成してあるドレンパンの孔部防水部材であって、
前記立上部に嵌着させるべく、筒状壁部と、上フランジ部と、下フランジ部とを備えた凹部を弾性部材によって形成し、
このうち前記上フランジ部は、前記立上部の全周を上方から覆うと共に、当該上フランジ部の先端部が前記ドレンパンの上面に接当するよう垂下状に形成し、
前記下フランジ部は、前記凹部の内部に前記立上部を保持するよう前記ドレンパンの下面に接当する形状としてあるドレンパンの孔部防水部材。
【請求項２】
前記下フランジ部の下面側の前記筒状壁部との結合部に、前記孔部に対する侵入をガイドするガイド部を備えた請求項１に記載の孔部防水部材。
【請求項３】
前記下フランジ部を前記筒状壁部の全周にわたって設けてある請求項１または２に記載の孔部防水部材。
【請求項４】
前記凹部に前記ドレンパンの立上部を保持させた状態で、前記上フランジ部の下面に前記立上部の上端部が接当する接当部を形成してある請求項１から３の何れか一項に記載の孔部防水部材。
【請求項５】
前記上フランジ部の上面は、平面視で水滴を前記筒状壁部から離間する方向に案内する傘状に形成してある請求項１〜４の何れか一項に記載の孔部防水部材。
【請求項６】
空調設備において、下側の機械室と上側の熱交換室とを仕切るドレンパンに形成された孔部内に挿通されて、前記機械室と前記熱交換室とを連通する連通管に取り付けるドレンパンの孔部防水部材であって、
弾性材料で形成してあり、前記連通管に外嵌する筒状の装着部を備え、前記孔部の上方を覆い、上方からの水滴を、平面視で前記孔部から離間する方向に案内する傘部を備えた孔部防水部材。
【請求項７】
前記装着部に前記連通管の外周面に接当して防水する防水部と、前記連通管の外周面に前記防水部と異なる位置で接当して前記連通管を保持するグリップ部とを設けてある請求項６に記載の孔部防水部材。
【請求項８】
空調設備において、下側の機械室と上側の熱交換室とを仕切ると共に、前記機械室と前記熱交換室とを連通する連通管を挿通可能な孔部を有し、当該孔部の周縁部に、前記熱交換室の側に立設した筒状の立上部を形成してあるドレンパンを備え、
弾性部材により、筒状壁部と、上フランジ部と、下フランジ部とを設けて凹部を形成した第一の孔部防水部材を、
その上フランジ部が、前記立上部の全周を上方から覆うと共に、当該上フランジ部の先端部が前記ドレンパンの上面に接当するように、かつ、
前記下フランジ部が、前記ドレンパンの下面に接当して前記凹部の内部に前記立上部を保持するよう前記立上部に嵌着させ、
前記孔部の上方を覆うと共に上方からの水滴を平面視で前記孔部から離間する方向に案内する傘部を弾性材料で形成した第二の孔部防水部材を前記連通管に外嵌させてある空調設備のドレンパン防水構造。
【請求項９】
前記ドレンパンと、前記上フランジ部の先端部との間をシール材でシールしてある請求項８に記載の空調設備のドレンパン防水構造。
【請求項１０】
前記傘部の先端部の内径を、前記上フランジ部の先端部の外径よりも大きく形成してある請求項８又は９に記載の空調設備のドレンパン防水構造。
【発明の詳細な説明】
【技術分野】
【０００１】
本発明は、空調設備において、下側の機械室と上側の熱交換室とを仕切ると共に、前記機械室と前記熱交換室とを連通する連通管を挿通可能な孔部を有し、当該孔部の周縁部に、前記熱交換室の側に立設した筒状の立上部を形成してあるドレンパンの孔部防水部材、および、ドレンパンの防水構造に関する。
【背景技術】
【０００２】
従来例えば上述の空気調和装置の室外機では、熱交換器の収容される熱交換室を上部に備えるとともに、その熱交換器に冷媒を供給する冷媒供給部、前記冷媒を圧縮する圧縮機等を備えた冷媒循環部、これら装置を駆動する駆動装置等を内装する機械室を下部に備え、これらを仕切るようにドレンパンを設けてある。前記機械室から熱交換室への冷媒移送は、前記ドレンパンに孔部を設けるとともに、その孔部を貫通して設けた連通管を介して行うことになる。このような場合、装置の運転に際して生じたドレン、あるいは雨水等の水が、前記孔部から下部の機械室に侵入しないように防水することが求められる。
【０００３】
このようなドレンパンの防水構造としては、ドレンパンに設けた孔部を上方側から覆う箱状のカバーを設け、前記カバーの側部に設けた開口部から前記連通管を取り出すように構成したものが用いられている。このような構成によると、上方からの水滴は、直接孔部には落下せず、前記カバーにより平面視で前記孔部から遠ざかる方向に案内されるため、前記孔部から機械室に水滴が直接落下するのを防止することができる。
また、このような構成に基づき、前記室外機自体の製造・加工が煩雑になる等の問題点を解決するために、前記ドレンパンを複数の部分から構成して、ダクト空間を形成して配管スペースを確保容易に構成することが提案されている（例えば特許文献１を参照）。
【０００４】
【特許文献１】特開２００１−２１５０３１号公報
【発明の開示】
【発明が解決しようとする課題】
【０００５】
しかし、このようなドレンパンの防水構造によっても、前記ドレンパン上にたまった水滴が前記孔部や、前記ダクト空間から前記連通管を取り出す開口部の近傍に水滴が達し、水はねが生じたような場合、前記孔部や開口部を介して下方に水が侵入する事があるという問題があった。
また、前記ドレンパンを複数に構成したとしても、前記室外機自体の製造、加工の際に、前記連通管の配設作業がより煩雑になるという問題があり、さらに、前記配管を伝って下方に流下する水滴についても有効に防水できないという問題点があった。
【０００６】
そこで、本発明の目的は、上記実状に鑑み、製造容易でかつ防水効果の高い孔部防水部材、およびドレンパンの防水構造を提供する点にある。
【課題を解決するための手段】
【０００７】
本発明の孔部防水部材の特徴構成は、空調設備において、下側の機械室と上側の熱交換室とを仕切ると共に、前記機械室と前記熱交換室とを連通する連通管を挿通可能な孔部を有し、当該孔部の周縁部に、前記熱交換室の側に立設した筒状の立上部を形成してあるドレンパンの孔部防水部材であって、前記立上部に嵌着させるべく、筒状壁部と、上フランジ部と、下フランジ部とを備えた凹部を弾性部材によって形成し、このうち前記上フランジ部は、前記立上部の全周を上方から覆うと共に、当該上フランジ部の先端部が前記ドレンパンの上面に接当するよう垂下状に形成し、前記下フランジ部は、前記凹部の内部に前記立上部を保持するよう前記ドレンパンの下面に接当する形状としてある点にある。
【０００８】
つまり、前記孔部には立上部を設けてあるので、前記ドレンパンの上面を伝って流れる水は、その立上部でせき止められ、前記孔部より下方に直接落下しない。この孔部に設けた孔部防水部材は、弾性部材で形成してあるので、前記孔部の周縁部を保護する。さらに、前記孔部防水部材は、筒状壁部を備えるとともに、上フランジ部と下フランジ部との間に形成される凹部に前記立上部を保持するから、前記立上部の立設高さよりも高位置に前記筒状壁部を配置することが可能になる。このため、前記孔部周辺で、何らかの原因により水滴がはね上がったとしても、その水滴が前記孔部を介して下方に落下するのを抑制することができる。また、凹部で孔部の周縁部に嵌着するから、前記孔部と前記孔部防水部材との間に水が侵入せず、水が前記立上部を乗り越えるのを抑制できる。
【０００９】
また、上記構成によると、前記上フランジ部は、前記ドレンパンに上側から接当し、前記下フランジ部は、前記ドレンパンを下側から支持することになるから、前記孔部防水部材は前記孔部に安定的に姿勢保持される。また、前記ドレンパン上を伝って前記孔部に向かう水滴は、上フランジ部の先端部によってせき止められるので、さらに、その水滴が前記孔部を介して下方に落下しにくくなる。
また、前記上フランジ部は、全周にわたって設けてあるから、方向性なく防水機能を発揮する。
【００１０】
従って、前記孔部防水部材を嵌着するだけの簡単な構成で、前記ドレンパンの防水性能を高めることができ、信頼性の高いドレンパンの防水構造を容易に提供できるようになった。
【００１１】
また、上記構成に加えて、前記下フランジ部の下面側の前記筒状壁部との結合部に、前記孔部に対する侵入をガイドするガイド部を備えてあることが好ましい。
【００１２】
つまり、このようなガイド部を設けてあると、前記孔部防水部材は、前記孔部に押し込むだけの簡単な操作で、前記孔部の周縁部に嵌着させることができ、より一層容易にドレンパンの防水構造を作製するのに役立つ。
【００１３】
また、上記構成において、前記下フランジ部を前記筒状壁部の全周にわたって設けてあることが好ましい。
【００１４】
つまり、前記上フランジ部が確実に前記ドレンパンの上面に接当していれば、前記下フランジ部は、前記筒状壁部の周囲の一部に設ける事によって、前記筒状壁部の全周にわたって設けなくても、前記孔部の周縁部に嵌着させることができるが、全周に設けてあると、より確実に前記孔部の周縁部に嵌着され、高い防水性を発揮するのに寄与する。また、より確実に嵌着させておけば、前記連通管が振動して前記孔部防水部材に接触したとしても、前記孔部防水部材が前記孔部から外れにくくなり、孔部防水部材の信頼性を高めることができる。
【００１５】
さらに、前記凹部に前記ドレンパンの立上部を保持させた状態で、前記上フランジ部の下面に前記立上部の上端部が接当する接当部を形成してあることが好ましい。
【００１６】
このような接当部を形成してあると、前記孔部防水部材は、下フランジ部と前記上フランジ部の先端部と、前記接当部とで支持されることになるから、前記孔部防水部材が比較的軟質な弾性材料で形成されていたとしても、高い保形性を発揮し、前記孔部の周縁部に対する嵌着姿勢が安定する。そのため、前記孔部防水部材が前記孔部から外れにくくなり、孔部防水部材の信頼性を高めることができる。
【００１７】
また、前記上フランジ部の上面は、平面視で水滴を前記筒状壁部から離間する方向に案内する傘状に形成してあることが好ましい。
【００１８】
つまり、前記孔部周辺で水はねが発生した場合には、前記上フランジ部の上面に水滴がかかることになるが、この水滴が前記孔部に達しにくいようにするには、前記水滴をなるべく前記孔部から離間した場所で前記ドレンパンに戻されるように構成することが望ましい。そこで、前記上フランジ部を傘状に構成してあれば、水滴を円滑に前記孔部から離間した位置に案内することができる。
【００１９】
また、本発明の孔部防水部材の特徴構成は、空調設備において、下側の機械室と上側の熱交換室とを仕切るドレンパンに形成された孔部内に挿通されて、前記機械室と前記熱交換室とを連通する連通管に取り付けるものであって、弾性材料で形成してあり、前記連通管に外嵌する筒状の装着部を備え、前記孔部の上方を覆い、上方からの水滴を、平面視で前記孔部から離間する方向に案内する傘部を備える点にある。
【００２０】
本構成の孔部防水部材は、ドレンパンの孔部に挿通した連通管に取り付け、前記孔部の防水を行うものである。前記連通管と前記孔部との間の防水は、種々公知の方法でシールするなどして行うことができるが、本発明のごとく前記連通管に外嵌する孔部防水部材を設けてあれば、前記連通管と前記孔部防水部材との間をシールすることなく、前記孔部に侵入しようとする水滴を遮断できる。前記孔部防水部材の装着部を前記連通管に装着し、前記傘部の先端部が、ドレンパンの上面に接当した姿勢とすると、前記連通管は前記ドレンパンに対して相対姿勢を保持された状態になる。また、前記孔部防水部材は、前記ドレンパンに対して直接連結されない状態で前記孔部の上方側を防水できる。そのため、前記連通管が振動した場合でも、前記孔部防水部材の傘部の下端部がドレンパンに対してスライド移動するか、傘部が弾性変形することにより、前記孔部に対する振動を許容することができる。従って、前記連通管を介して前記ドレンパンに振動が伝わりにくく、その振動が水はねの原因になるのを防止することができ、より一層防水性能を高めることができる。
【００２１】
また、本発明の孔部防水部材は、前記装着部に前記連通管の外周面に接当して防水する防水部と、前記連通管の外周面に前記防水部と異なる位置で接当して前記連通管を保持するグリップ部とを設けてあることが好ましい。
【００２２】
前記防水部を設けてあると、前記防水部は前記連通管の外周面に接当するから、前記連通管を伝って流下する水滴が前記孔部を介して下方に達するのを遮断することができ、より一層防水性を高めることができる。また、前記装着部にはグリップ部を設けて、前記連通管の外周面に前記防水部と異なる位置で接当するように形成してあるから、前記連通管に対して、長手方向において防水部とグリップ部との２点で前記孔部防水部材が接当することになる。その結果、前記連通管が前記孔部において振動したとしても、前記装着部における連通管保持姿勢が変化しにくくなり、前記連通管を伝う水滴が前記装着部の弾性変形により前記防水部を通過する不都合が起きにくくなる。
【００２３】
また、本発明のドレンパンの防水構造の特徴構成は、空調設備において、下側の機械室と上側の熱交換室とを仕切ると共に、前記機械室と前記熱交換室とを連通する連通管を挿通可能な孔部を有し、当該孔部の周縁部に、前記熱交換室の側に立設した筒状の立上部を形成してあるドレンパンを備え、弾性部材により、筒状壁部と、上フランジ部と、下フランジ部とを設けて凹部を形成した第一の孔部防水部材を、その上フランジ部が、前記立上部の全周を上方から覆うと共に、当該上フランジ部の先端部が前記ドレンパンの上面に接当するように、かつ、前記下フランジ部が、前記ドレンパンの下面に接当して前記凹部の内部に前記立上部を保持するよう前記立上部に嵌着させ、前記孔部の上方を覆うと共に上方からの水滴を平面視で前記孔部から離間する方向に案内する傘部を弾性材料で形成した第二の孔部防水部材を前記連通管に外嵌させてある点にある。
【００２４】
つまり、前記孔部には立上部を設けてあるので、前記ドレンパンの上面を伝って流れる水は、その立上部でせき止められ、前記孔部より下方に直接落下しない。この孔部に設けた第一の孔部防水部材は、弾性部材で形成してあるので、前記孔部の周縁部を保護する。さらに、前記第一の孔部防水部材は、筒状壁部を備えるとともに、上フランジ部と下フランジ部との間に形成される凹部に前記立上部を保持するから、前記立上部の立設高さよりも高位置に前記筒状壁部を配置することが可能になる。このため、前記孔部周辺で、何らかの原因により水滴がはね上がったとしても、その水滴が前記孔部を介して下方に落下するのを抑制することができる。また、凹部で孔部の周縁部に嵌着するから、前記孔部と前記第一の孔部防水部材との間に水が侵入せず、水が前記立上部を乗り越えるのを抑制できる。
【００２５】
また、上記構成によると、前記上フランジ部は、前記ドレンパンに上側から接当し、前記下フランジ部は、前記ドレンパンを下側から支持することになるから、前記第一の孔部防水部材は前記孔部に安定的に姿勢保持される。また、前記ドレンパン上を伝って前記孔部に向かう水滴は、上フランジ部の先端部によってせき止められるので、さらに、その水滴が前記孔部を介して下方に落下しにくくなる。
また、前記上フランジ部は、全周にわたって設けてあるから、方向性なく防水機能を発揮する。
【００２６】
また、上述の第二の孔部防水部材を設けてあるので、前記連通管と前記第一の孔部防水部材との間をシールすることなく、前記孔部に侵入しようとする水滴を遮断できる。すると、前記第二の孔部防水部材の装着部を前記連通管に装着し、前記傘部の先端部が、ドレンパンの上面に接当した姿勢とすると、前記連通管は前記ドレンパンに対して相対姿勢を保持された状態になる。また、前記連通管は、前記ドレンパンに対して直接連結されない状態で前記孔部の上方側を防水できる。そのため、前記連通管が、振動しようとしても、前記第二の孔部防水部材の傘部の下端部がドレンパンに対してスライド移動するか、傘部が弾性変形することにより、前記孔部に対する振動を許容することができる。従って、前記連通管を介して前記ドレンパンに振動が伝わりにくく、その振動が水はねの原因になるのを防止することができ、より一層防水性能を高めることができる。
【００２７】
尚、孔部を経由して機械室側に侵入しようとする雨水等は前記連通管を伝って孔部に侵入する場合と、ドレンパン上からあふれる等して孔部に達する場合があり、前記連通管を伝う水は、前記第二の孔部防水部材で効果的に抑制し、前記ドレンパン上からの水は、前記第一の孔部防水部材により効果的に抑制することが出来る。一方、前記孔部と前記連通管との相対姿勢は、前記機械室の形態等により種々の変形が見られる場合があり、一様ではない。そのため、前記第一の孔部防水部材と第二の孔部防水部材とが一体に形成してあれば、上述の防水構造を形成することが困難になることが予想される。しかし、本発明の構成において、前記第一の孔部防水部材と第二の孔部防水部材とを別体に形成してあると、前記孔部と前記連通管との相対姿勢によらず、それぞれの部材を管、孔部に取り付けることにより、容易にかつ確実に上述の防水構造を形成して防水機能が発揮させることができる。
【００２８】
従って、前記第一の孔部防水部材をドレンパンの孔部に嵌着させ、前記連通管に第二の孔部防水部材を装着するだけの簡単な構成で、前記ドレンパンの防水性能を高めることができ、信頼性の高いドレンパンの防水構造を容易に提供できるようになった。
【００２９】
また、本発明のドレンパンの防水構造では、前記ドレンパンと上フランジ部の先端部との間をシール材でシールしてあることが好ましい。
【００３０】
このように構成すると、前記ドレンパンと上フランジ部の先端部との接当部を介して水が孔部側に侵入するのを防止することができる。そのため、前記第一の孔部防水部材と前記ドレンパンの間に水が侵入せず、よって水が前記立上部を乗り越えて孔部を通過するような不都合もより確実に防止できるようになり、前記第一の孔部防水部材の信頼性を高めることができる。
【００３１】
また、前記第二の孔部防水部材の前記傘部の先端部の内径を、前記第一の孔部防水部材の上フランジ部の先端部の外径よりも大きく形成してあることが好ましい。
【００３２】
つまり、前記傘部の先端部の内径を、前記第一の孔部防水部材の上フランジ部の先端部の外径よりも大きくしておくと、前記傘部の先端部は、確実に前記第一の孔部防水部材の上方を覆うことができ、前記ドレンパンの上面に接当する。従って、水滴が前記孔部に達するのをより確実に防止することができる。さらに、前記上フランジ部の先端部は、前記第一の孔部防水部材に規制されずに、ドレンパン上をスライド移動できるので、前記連通管の前記孔部に対する振動を、より容易に許容することができる。
【発明を実施するための最良の形態】
【００３３】
以下、本発明の実施例を図面に基づいて説明する。
本発明のドレンパンの防水構造は、図３に示すように、例えば空気調和装置の室外機Ａに用いられる。
前記室外機Ａは、下部に機械室Ｂを備え、その上側にドレンパン１を介して熱交換室Ｃを備え、全体を一つのケーシングに収容して構成してある。
【００３４】
前記機械室Ｂは、熱交換室Ｃに対して冷媒を供給する冷媒供給部Ｂ１、前記冷媒を圧縮する圧縮機Ｂ２等を備える冷媒循環部、これらを駆動する駆動装置Ｂ３等を内装する。
【００３５】
前記熱交換室Ｃは、熱交換器Ｃ１を内装し、前記熱交換器Ｃ１に備えた冷媒配管Ｃ２に流通される冷媒により冷暖房等の熱交換を行い、必要に応じて、その冷媒配管を空冷、もしくは水冷する冷却機構Ｃ３を備える。
【００３６】
前記機械室Ｂから前記熱交換室Ｃへの冷媒配管は、前記ドレンパン１に形成された孔部１１を介して、前記機械室Ｂから前記熱交換室Ｃへの連通管Ｃ４を介して形成してある。前記孔部１１の縁部には、筒状の立上部１２を立設してある。
【００３７】
前記ドレンパン１の前記孔部１１には、図２に示すように、第一の孔部防水部材２（以下、「第一防水部材２」と称する）を装着し、前記孔部１１に挿通される連通管Ｃ４には、第二の孔部防水部材３（以下、「第二防水部材３」と称する）を装着し、ドレンパンの防水構造を形成する。
【００３８】
前記第一防水部材２は、ＥＰＤＭ樹脂から成形され、図１（ロ）に示すように、筒状壁部の外周面に上フランジ部２２と下フランジ部２３とを突出形成させてある。これにより、前記筒状壁部２１の外側方から前記立上部１２を受け入れる凹部２４が形成される。
【００３９】
前記上フランジ部２２は、前記立上部１２を上方から覆って前記ドレンパン１の上面に先端部２２ａが接当する縦断側面視円弧を形成する垂下形状に形成して、前記筒状壁部２１の全周にわたって設けてある。また、前記下フランジ部２３は、前記ドレンパン１の下面に接当した状態で、前記上フランジ部２２との間に前記立上部１２を前記凹部２４内に保持可能な位置で、前記筒状壁部２１の全周にわたって設けてある。
このような構成により、前記第一防水部材２を前記ドレンパン１の孔部１１に嵌着させると、前記孔部１１の立上部１２は、下端部において前記下フランジ部２３に支持されるとともに、上端部において上フランジ部２２の前記筒状壁部２１に対する結合部に形成される接当部に接当する。
また、下フランジ部２３下面側の前記筒状壁部２１との結合部に、前記第一防水部材２の前記孔部１１に対する侵入をガイドするガイド部２５を設けてあり、前記第一防水部材２を孔部１１に挿通させつつ、単に押し込むだけの簡単な操作で、前記下フランジ部２３が前記立上部１２を乗り越え、前記凹部２４内にその立上部１２を案内し、前記孔部１１に嵌着させることができるように形成してある。前記ガイド部２５は、縦断側面視で前記筒状壁部２１の外周面が円弧を形成するように形成してある。
【００４０】
前記第二防水部材３は、図１（イ）に示すように、ＥＰＤＭ樹脂から成形され、前記連通管Ｃ４に外嵌する筒状の装着部３１を備え、前記孔部１１の上方を覆って、上方からの水滴を、平面視で前記孔部１１から離間する方向に案内可能にする傘部３２を備える。前記傘部３２は、内外面ともに、ほぼ前記装着部３１の下端部から下広がりの円錐形状に形成される。
【００４１】
前記装着部３１には、前記第二防水部材３の前記装着部３１に前記連通管Ｃ４の外周面に接当して防水する防水部３３と、前記連通管Ｃ４の外周面に前記防水部３３と異なる位置で接当して前記連通管Ｃ４を保持するグリップ部３４とを設けてある。これにより、前記第二防水部材３は、前記装着部３１において前記連通管Ｃ４に嵌合して、前記防水部３３および前記グリップ部３４を前記連通管Ｃ４に密接させた状態で、連通管Ｃ４の軸心に沿う姿勢に取付けることができる。この状態において、前記連通管Ｃ４を伝う上方からの水滴は、前記防水部３３でせき止められ、前記傘部３２方向に案内され、前記傘部３２に落下した水とともに、平面視で前記孔部１１から遠ざかる方向に誘導される。また、この状態で、前記第二防水部材３を前記連通管Ｃ４の長手方向に沿ってスライド移動させて、前記第二防水部材３の装着位置を変更可能に形成されているから、前記防水部３３でせき止められた水が、円滑に前記ドレンパン１上に移動させられるように、前記傘部３２の先端部３２ａが前記ドレンパン１の表面に接当するよう位置調整して配置することができる。また、前記孔部１１に対する連通管Ｃ４の相対姿勢が変化したとしても、前記傘部３２の先端部３２ａがドレンパン１上をスライド移動して姿勢変更を許容しつつ、前記防水部３３と、前記グリップ部３４とで確実に前記連通管Ｃ４に装着されるので防水機能が確実に発揮される。また、前記連通管Ｃ４の振動に伴って、前記連通管Ｃ４が前記孔部１１に接触しようとしても、弾性材料で形成してある前記第一防水部材２が間に位置するので、前記連通管Ｃ４の振動を緩衝し、連通管Ｃ４が傷ついたりするのを抑制する役割を果たす。
【００４２】
また、前記前記第二防水部材３の前記傘部３２の先端部３２ａの内径を、前記第一防水部材２の上フランジ部２２の先端部２２ａの外径よりも大きく形成してある。そのため、前記第二防水部材３における前記装着部３１を配管に装着した状態で、前記傘部３２の先端部３２ａを、前記ドレンパン１に接当する状態に取り付けると、前記第二防水部材３により誘導された水は、平面視で前記第一防水部材２上方よりも離間する位置にまで達する。また、前記第二防水部材３は、ドレンパン１上の水を、前記傘部３２の先端部３２ａで遮断して前記第一防水部材２に向かって流れるのを防止するので高い防水性を発揮する。
【００４３】
前記第一防水部材２と第二防水部材３とは、図２に示すように組み合わせてドレンパン１の孔部１１を覆うように設けられる。つまり、前記孔部１１に前記第一防水部材２を嵌着するとともに、前記孔部１１に前記連通管Ｃ４を配管し、前記連通管Ｃ４に前記第二防水部材３を外嵌装着して、前記ドレンパン１に接当するように位置あわせすることにより、ドレンパン１の防水構造が形成される。従って、極めて簡単な作業手順でドレンパンの防水構造を形成することができる。
【００４４】
また、前記上フランジ部２２の先端部２２ａと前記ドレンパン１の上面との間にはシール材４を充填しておくことにより、前記ドレンパン１と前記第一防水部材２との間の止水性を向上させ、前記ドレンパン１と前記第一防水部材２との間に浸入した水が前記孔部１１に達するのを防止し、前記孔部１１の防水性を高めることができる。このようなシールは、あらかじめ前記第一防水部材２の前記凹部２４にシール材４を充填した状態で前記ドレンパン１に嵌着させることによって行うこともできるし、前記第一防水部材２をドレンパン１に嵌着させた後、外方からシール材４を供給することによっても行うこともできる。外方から供給されるシール材４は、前記凹部２４に圧入されても良いし、外周部に塗布されるものでも良い。
【図面の簡単な説明】
【００４５】
【図１】第一の孔部防水部材および第二の孔部防水部材の部分断面斜視図
【図２】ドレンパンの防水構造を示す図
【図３】室外機の概略図
【符号の説明】
【００４６】
Ｂ        機械室
Ｃ        熱交換室
Ｃ４      連通管
１        ドレンパン
１１      孔部
１２      立上部
２        孔部防水部材（第一の孔部防水部材）
２１      筒状壁部
２２      上フランジ部
２２ａ    先端部
２３      下フランジ部
２４      凹部
【図１】
2005274079.tif 000003
【図２】
2005274079.tif 000004
【図３】
2005274079.tif 000005